(57)【要約】【課題】様々な組み立て形態で組み立てることができ、いずれの組み立て形態であっても容易に、且つ、丈夫に組み立てることのできるペット用柵を提供することを目的とする。【解決手段】互いに隣合う一方の柵体１１と他方の柵体１２との各対向端部に、一方の連結部材３１と他方の連結部材３２をそれぞれ備え、該他方の連結部材３２に、上記一方の連結部材３１の側へ突出した突片部３２Ｕｂを備え、上記一方の連結部材３１に、上記突片部３２Ｕｂを支持する支持受け部３１Ｕｂを備え、上記突片部３２Ｕｂを上記支持受け部３１Ｕｂに枢支する枢支軸３３Ｕを備え、上記支持受け部３１Ｕｂに対して所定角度に回動させた上記突片部３２Ｕｂを上記支持受け部３１Ｕｂとで挟み込んで固定保持する固定保持部材３４を備えたペット用柵１１。【選択図】図１
2009284765.tif 000002
【特許請求の範囲】
【請求項１】
互いに隣合う柵体のうち一方の柵体における他方の柵体との対向端部に、一方の連結部材を備えるとともに、上記他方の柵体における上記一方の柵体との対向端部に、他方の連結部材を備え、上記一方の連結部材と上記他方の連結部材とを互いに連結して構成したペット用柵であって、
上記他方の連結部材に、上記一方の連結部材の側へ突出した突片部を備え、
上記一方の連結部材に、上記突片部を支持する支持受け部を備え、
上記突片部を上記支持受け部に枢支する枢支軸を備え、
上記支持受け部に対して所定角度に回動させた上記突片部を上記支持受け部とで挟み込んで固定保持する固定保持部材を備えた
ペット用柵。
【請求項２】
上記固定保持部材を、上記突片部を上記支持受け部とで締結する締結部材により構成した
請求項１に記載のペット用柵。
【請求項３】
上記一方の柵体を、ペットが通行する空間においてペットの通行方向に交差する方向に設置する主柵体で構成し、
上記他方の柵を、上記主柵体とともにペットの通方を遮断する副柵体で構成した
請求項１又は２に記載のペット用柵。
【請求項４】
上記主柵体に、ペットの通行を許容する開口部を構成し、
上記開口部に、該開口部を閉塞する扉を備えた
請求項３に記載のペット用柵。
【請求項５】
上記主柵体の下部に、該主柵体に対して交差する方向へ突出した姿勢で上記主柵体を支持するスタンドを備え、
上記スタンドを、上記柵体の下端部沿いに退避した姿勢へ変更可能に構成した
請求項３又は４に記載のペット用柵。
【発明の詳細な説明】
【技術分野】
【０００１】
この発明は、例えば、犬や猫などのペットを格納しておくことができるペット用サークルとして、或いは、屋内の廊下や部屋の出入り口付近に設置して、ペットの通行を遮断するペット用ゲートとして用いることができるペット用柵に関する。
【背景技術】
【０００２】
上述したようなペット用柵は、一般に複数枚の柵体を備えるとともに、これら柵体の端部に取り付けられた連結部材により、柵体同士を互いに連結して構成している。中には、連結部材同士の連結角度を変更することにより、様々な形態へ変更できるペット用柵も知られている。  
例えば、特許文献１において開示された「ペット用サークル」もその１つである。
【０００３】
特許文献１における「ペット用サークル」は、複数枚の矩形状フェンスを備え、隣合う両矩形状フェンスの端部を構成する線状部材同士を連結部材により連結するとともに、両矩形状フェンスの下端角部を、床面に接地された支持部材によって支持した形態で組み立てることができる。
【０００４】
上記支持部材には、放射状に形成された複数の支持溝を備え、該支持溝に矩形状フェンスの下端角部を挿入することにより矩形状フェンスの回動を規制している。
【０００５】
「ペット用サークル」は、放射状に複数形成した支持溝に矩形状フェンスの下端部の挿入を選択的に行なうことにより、自由度の高い組み立てが可能となる。
【０００６】
しかし、「ペット用サークル」は、支持部材に形成した支持溝の数に応じてのみしか矩形状フェンスの開き角度を選択することができず、場所を選ばずに設置することができるという要求を充分に満たすことができないという課題があった。
【０００７】
さらに、「ペット用サークル」は、角度を変更する度に矩形状フェンスの下端部を支持溝から外したり、連結部材を矩形状フェンスから取り外すといった手間するという課題があった。
【特許文献１】特開平９−９８６８５号公報
【発明の開示】
【発明が解決しようとする課題】
【０００８】
そこでこの発明は、様々な組み立て形態で組み立てることができ、いずれの組み立て形態であっても容易に、且つ、丈夫に組み立てることのできるペット用柵を提供することを目的とする。
【課題を解決するための手段】
【０００９】
本発明のペット用柵は、互いに隣合う柵体のうち一方の柵体における他方の柵体との対向端部に、一方の連結部材を備えるとともに、上記他方の柵体における上記一方の柵体との対向端部に、他方の連結部材を備え、上記一方の連結部材と上記他方の連結部材とを互いに連結して構成したペット用柵であって、上記他方の連結部材に、上記一方の連結部材の側へ突出した突片部を備え、上記一方の連結部材に、上記突片部を支持する支持受け部を備え、上記突片部を上記支持受け部に枢支する枢支軸を備え、上記支持受け部に対して所定角度に回動させた上記突片部を上記支持受け部とで挟み込んで固定保持する固定保持部材を備えたことを特徴とする。
【００１０】
本発明のペット用柵は、柵体同士が互いに回動自在であるため、無段階で任意の角度に設定することができる。
【００１１】
よって、ペット用柵は、複数の柵体が平面視線状に連なった形状や、平面視サークル形状（環状、多角形状）など様々な形態で構成することができる。
【００１２】
さらに、ペット用柵は、固定保持部材で突片部を支持受け部とともに固定することにより、一方の柵体と他方の柵体との角度を所定角度に固定することができ、例えば、ペットが柵体に接触するなど不測の外力が加わっても、形崩れしたり、ガタつくことなく、しっかりと固定した角度に保つことができる。
【００１３】
従って、ペット用柵を丈夫に組み立てることができる。
【００１４】
また、ペット用柵は、柵体同士が互いに回動自在であるため、該柵体同士が重なり合った形態としてコンパクトに折り畳むこともできる。さらに、このように折り畳んだ形態で固定保持部材で突片部を支持受け部とともに固定することにより、柵体同士が不用意にガタつくことがなく上述したようなコンパクトな形態に保つことができる。
【００１５】
この発明の態様として、上記固定保持部材を、上記突片部を上記支持受け部とで締結する締結部材により構成することができる。
【００１６】
上記締結部材の締結により強固に上記突片部の回動を固定することができるとともに、いちいち一対の連結部材を分解したり柵体から取り外したりすることなしに、締結部材の締緩によりスムーズに柵体同士の角度を変更することができる。
【００１７】
また、この発明の態様として、上記一方の柵体を、ペットが通行する空間においてペットの通行方向に交差する方向に設置する主柵体で構成し、上記他方の柵を、上記主柵体とともにペットの通方を遮断する副柵体で構成することができる。
【００１８】
上述した構成により、ペット用柵は、屋内の部屋の出入口付近や廊下などのペットが通行する空間においてペットの通行方向に交差する方向に設置することで、ペットの通行を遮断するペット用ゲートとして用いることができる。
【００１９】
さらに、ペット用柵は、柵体同士の角度を、任意の角度に調節することができため、柵体同士の角度調節を行なうことにより、該ペット用柵を、設置する空間の幅に応じた幅になるよう設定することができる。
【００２０】
よって、廊下や出入り口近傍といった様々な空間に設置する場合であっても、ペットの通行を確実に遮断することができる。
【００２１】
また、この発明の態様として、上記主柵体に、ペットの通行を許容する開口部を構成し、上記開口部に、該開口部を閉塞する扉を備えることができる。
【００２２】
ペット用柵は、主柵体に対する副柵体の角度を任意に設定することができるため、最小で主柵体の副になるまで小さく設定することができる。すなわち、副柵体を主柵体に対して直角になるまで回動すればよい。
【００２３】
このように、ペット用柵は、主柵体の幅になるまで小さく設定しても、副柵体と主柵体とが互いに重なり合わない形態とすることができる。
【００２４】
よって、主柵体に構成した開口部に、副柵体が重なり合うことで、開口部が閉塞されたり、扉の開閉操作が阻害されるといった事態を回避することができ、ペット用柵の幅を小さく設定しても、開口部を通じたペットの通行や扉の開閉操作を確実に行うことができる。
【００２５】
さらにまた、ペット用柵をペットが通行する空間に設置した場合においても、ペットを通行させる際には、扉を開けることで開口部を通じてペットを容易に通行させることができる。扉を閉じれば、不測にペットが開口部を通じて通行することを阻止することができる。
【００２６】
このように、ペット用柵は、ペットが通行する空間に対していちいち取り外したり設置し直したりしなくても、ペットの通行を許容する形態、遮断する形態との間で容易に変更することができる。
【００２７】
また、この発明の態様として、上記主柵体の下部に、該主柵体に対して交差する方向へ突出した姿勢で上記主柵体を支持するスタンドを備え、上記スタンドを、上記柵体の下端部沿いに退避した姿勢へ変更可能に構成することができる。
【００２８】
ペット用柵は、主柵体と交差する方向へスタンドを突出させることにより、例えば、平面視直線状の形態としても安定して設置することができる。ペット用柵を折り畳む際などのスタンドが不要な形態においては、邪魔にならないようスタンドを上記柵体の下端部に退避した姿勢とすれば、スタンドを主柵体の下部に収納することができる。
【００２９】
したがって、ペット用柵は、上述したように柵体同士の角度を様々な組み立て形態へ変更することができるが、それぞれの組み立て形態において必要に応じてスタンドを用いて主柵を設置したり、収容したりすることができる。
【発明の効果】
【００３０】
本発明により、様々な組み立て形態で組み立てることができ、いずれの組み立て形態であっても容易に、且つ、丈夫に組み立てることのできるペット用柵を提供することができる。
【発明を実施するための最良の形態】
【００３１】
この発明のペット用柵の一実施形態であるペット用ゲート１について以下図面を用いて説明する。  
本実施形態のペット用ゲート１は、図１から図８に示すようにペット用ゲート１は、３枚の柵体２と、これら柵体２同士を連結する連結部材３と、上記柵体２を起立した状態に支持するスタンド４とで構成している。
【００３２】
なお、図１は、ペット用ゲート１の外観図であり、図２、図３、及び、図４は、ペット用ゲート１を図１のように設置したときの背面図、平面図、左側面図を示す。図５は、ペット用ゲート１の上端部分における図３のＡ−Ａ線断面矢視図を示す。図６は、ペット用ゲート１の上端部分における連結部材３の構成説明図を示す。図７は、ペット用ゲート１の下端部分における図３のＡ−Ａ線断面矢視図を示す。図８は、ペット用ゲート１の下端部分における連結部材３の構成説明図を示す。
【００３３】
上記柵体２は、１枚の主柵体１１、及び、２枚の副柵体１２との合計３枚で構成している。ペット用ゲート１は、主柵体１１の幅方向両側に副柵体１２を連結部材３によって回動自在に連結して一体に構成している。
【００３４】
柵体２は、正面視矩形をした木製の枠体１３と、該枠体１３の内側に取り付けられた網状部材１４で構成している。
【００３５】
網状部材１４は、複数本の金属製の線状材１５からなり、詳しくは、縦方向に配した縦線状材１５ａを幅方向へ複数本並べるとともに、これら縦線状材１５ａに縦線状材１５ｂを横架して一体に組み合わせて面状に構成している。
【００３６】
網状部材１４は、その幅方向の両端側に配した縦線状材１５ａの上下両端部を、該縦線状材１５ａの上下両端部に対応する部分に形成した枠体１３の差込み孔１３ａに差し込んで枠体１３の内側へ取り付けて一体としている。
【００３７】
主柵体１１の正面視右側部分には、図１に示すように、犬や猫などのペットが出入り可能な大きさの開口部１６を構成しているとともに、該開口部１６を閉塞する扉１７を備えている。扉１７は、複数本の線状材１５を組み合わせて正面視矩形状に構成し、開口部１６を閉塞したとき、主柵体１１の一部分をなすよう構成している。扉１７は、幅方向の一方の端部側を主柵体１１の開口縁部に相当する線状材１５に枢支して開口部１６を開閉自在とする枢動軸１８を構成している。
【００３８】
また、主柵体１１には、開口部１６を閉塞状態に扉１７をロックする扉ロック機構２１を備えている。  
扉ロック機構２１は、ロックピン２１ａと、該ロックピン２１ａを差し込んでロックするとともに、取り外してロック解除する貫通孔を備えたロックピン差込管２１ｂとで構成している。ロックピン２１ａは、扉１７の幅方向の枢動軸１８と反対側の端部に係合し、ロックピン差込管２１ｂは、主柵体１１の開口縁部におけるロックピン２１ａとの対向部分に固着している。
【００３９】
２本の副柵体１２は、主柵体１１の半分程度、或いは、半分以下の幅で互いに同一形状で構成している。すなわち、２枚の副柵体１２のそれぞれは、主柵体１１側へ折り畳んだとき、主柵体１１の左右各側部分と対向した状態で折り畳むことができるよう構成している。
【００４０】
続いて、連結部材３について図５から図８を用いて説明する。  
連結部材３は、主連結部材３１（３１Ｕ，３１Ｄ）、副連結部材３２（３２Ｕ，３２Ｄ）、補強杆３３、締結部材３４とで構成している。  
主連結部材３１は、合成樹脂製であり、主柵体１１における副柵体１２との対向端部、詳しくは、主柵体１１の幅方向の左右各側の隅角部分に備え、それぞれを左右対称形状で形成している。主連結部材３１は、主柵体１１の上端側隅角部分に取り付ける側の上側主連結部材３１Ｕと、下端側隅角部分に取り付ける側の下側主連結部材３１Ｄとで構成している。
【００４１】
副連結部材３２は、合成樹脂製であり、副柵体１２における主柵体１１との対向端部の隅角部分に備えている。副連結部材３２は、副柵の主柵体１１との対向する上端側隅角部分に取り付ける側の上側副連結部材３２Ｕと、下端側隅角部分に取り付ける側の下側副連結部材３２Ｄとで構成している。
【００４２】
補強杆３３は、金属製の円管で構成し、主柵体１１と副柵体１２との各対向端部間において立設されている。補強杆３３の上部３３Ｕには、図５、及び、図６に示すように、雄ねじ部３５ａを形成し、雄ねじ部３５ａの基端部には、上側主連結部材３１Ｕを下側から支持可能に補強杆３３の上部３３Ｕの径に対して拡径した段部３３ａを備えている。
【００４３】
上記締結部材３４は、合成樹脂製であり、上側副連結部材３２Ｕの上面に備えている。締結部材３４の中央部には、補強杆３３の上部３３Ｕに構成した雄ねじ部３５ａと螺合可能な雌ねじ部３５ｂを形成したねじ穴３４ａを形成している。締結部材３４の上部には、指先で摘んで上記締結部材３４全体を回動可能な突片状の摘み部３４ｂを形成している。
【００４４】
上記副連結部材３２、及び、上記主連結部材３１について詳述する。  
図５，図６に示すように、上記副連結部材３２のうち、上側副連結部材３２Ｕは、副柵体１２の枠体１３の上端隅部を嵌め込み可能な溝状の枠体嵌込み部３２Ｕａと、該枠体嵌込み部３２Ｕａの先端側から突出した円柱状の突片部３２Ｕｂとで一体に形成している。
【００４５】
突片部３２Ｕｂは、枠体嵌込み部３２Ｕａの厚み方向の上半分部分から突出している。
【００４６】
上記主連結部材３１のうち、上記上側主連結部材３１Ｕは、主柵体１１の枠体１３の上側の隅部を嵌め込み可能な溝状の枠体嵌込み部３１Ｕａと、該枠体嵌込み部３１Ｕａの先端側から突出した円柱状の支持受け部３１Ｕｂとで一体に形成している。
【００４７】
支持受け部３１Ｕｂは、枠体嵌込み部３１Ｕａの厚み方向の下半分部分から突出し、上記突片部３２Ｕｂを支持可能に構成している。平面視円形をした突片部３２Ｕｂと支持受け部３１Ｕｂとの各中心部分には、突片部３２Ｕｂを支持受け部３１Ｕｂに載せたとき、互いに上下方向に連通して上記補強杆３３の上部３３Ｕの雄ねじ部３５ａを挿通可能に形成した連通孔３２Ｕｃ，３１Ｕｃを備えている。
【００４８】
上側主連結部材３１Ｕにおける枠体嵌込み部３１Ｕａと支持受け部３１Ｕｂとの連結部分には、上記突片部３２Ｕｂを支持受け部３１Ｕｂに載置したとき、円柱状の突片部をその位置にガイドするガイド壁面３１Ｕｄを構成し、支持受け部３１Ｕｂを底面とする凹状に構成している。
【００４９】
また、図７、図８に示すように、上記副連結部材３２のうち、下側副連結部材３２Ｄは、副柵体１２の枠体１３の下端隅部を嵌め込み可能な溝状の枠体嵌込み部３２Ｄａと、突片部３２Ｄｂとで一体に形成しているとともに、上記主連結部材３１のうち、下側主連結部材３１Ｄは、主柵体１１の枠体１３の下端隅部を嵌め込み可能な溝状の枠体嵌込み部３１Ｄａと、支持受け部３１Ｄｂとで一体に形成している。
【００５０】
下側副連結部材３２Ｄの突片部中央部には、上側副連結部材３２Ｕの突片部と同様に、上記補強杆３３を連通可能な連通孔３２Ｄｃを備えている。
【００５１】
一方、上側主連結部材３１Ｕの支持受け部中央部には、上記補強杆３３の下部３３Ｄを差し込んで支持可能な有底状の穴部３１Ｄｃを備えている。
【００５２】
さらにまた、主連結部材３１と副連結部材３２における枠体嵌込み部３１Ｕａの先端部外側には、突段状に形成した一対の回動規制突起３１ｅ，３２ｅを備えている。  
すなわち、一対の回動規制突起３１ｅ，３２ｅにおける一方の回動規制突起３１ｅは、主連結部材３１に形成するとともに、他方の回動規制突起３２ｅは、副連結部材３２に形成し、主柵体１１に対して副柵体１２の開き角度が例えば、１８０度という最大角度に達するまで回動させたとき、一方の回動規制突起３１ｅと、他方の回動規制突起３２ｅとが互いに当接してそれ以上の回動を規制する。
【００５３】
下側副連結部材３２Ｄ、下側主連結部材３１Ｄの底面部には、弾性ボルト３６を差し込み可能なボルト差込み孔３７を形成している（図７参照）。ボルト差込み孔３７に差し込んだ弾性ボルト３６は、その頭部が設置面に設置され、スタンド４とともに、補助的にペット用ゲート１を支持することができる。
【００５４】
続いて、スタンド４について図９（ａ），（ｂ），（ｃ）を用いて説明する。  
なお、図９（ａ）は、スタンド４の平面図を示し、図９（ｂ）は、図９（ａ）におけるＢ−Ｂ線断面矢視図を示し、図９（ｃ）は、図９（ｂ）におけるＣ−Ｃ線断面矢視図、並びに、枠体１３におけるスタンド４の取り付け構造を示す。
【００５５】
スタンド４は、細長い平板状に形成し、底面部には、突起部を備えたゴム製の板状部材４１を添着している。スタンド４の上面には、幅方向の両側における、長さ方向の後側部分を除く部分に枠体１３に係合可能に段状に形成した枠体係合段部４２を形成している。  
上記枠体係合段部４２は、長さ方向の先端部分から後方へ進むに連れ、徐々に厚みが厚くなる形状で形成している。上記枠体係合段部４２の後端部は、細長い平板状に対して垂直な壁面を構成している。
【００５６】
スタンド４の上面における幅方向中間部分には、幅方向両側の枠体係合段部４２により凹状に構成した溝部４３を備えている。上記溝部４３は、枠体１３の下端部を嵌め込み可能に枠体１３の厚みｔよりも大きな幅Ｗで形成している（図９（ａ），（ｂ）参照）。
【００５７】
スタンド４の上面における、長さ方向の溝部４３の後側部分には、連通孔４４が形成されている。スタンド４には、金属製のスタンド取付け杆４５をスタンド４の底面側から連通孔４４へ連通するととともに、起立状態で一体に取り付けている（図９（ｃ）参照）。
【００５８】
一方、主柵体１１の枠体１３の下端部には、スタンド取付け杆４５を挿入可能なスタンド取り付け穴４６が穿孔されている。
【００５９】
スタンド取付け杆４５の上端部には、スタンド取り付け穴４６に挿入した状態で、後述する付勢バネ５２を上側から支持する上側バネ支持板４７が取り付けられている。
【００６０】
スタンド取り付け穴４６の開口部１６の縁部には、後述する付勢バネ５２を下側から支持する下側バネ支持板４８を固着している。
【００６１】
下側バネ支持板４８の中央部には、スタンド取り付け穴４６へ挿通したスタンド取付け杆４５が上下にスライド自在であるとともに回動自在に連通した連通孔を備えている。
【００６２】
スタンド取り付け穴４６には、付勢バネ５２を備えている。付勢バネ５２は、スタンド取付け杆４５の上部をスタンド取り付け穴４６へ挿入した状態においてスタンド取付け杆４５の上側バネ支持板４７と下側バネ支持板４８との間に設置し、その付勢バネ５２の付勢力によりスタンド４は、常時、枠体１３側へ付勢されている。
【００６３】
上述したように構成したペット用ゲート１の主柵体１１に対して副柵体１２の開き角度を変更する手順について説明する。  
まず、締結部材３４の摘み部３４ｂを指先で摘み、回動することにより、補強杆３３の雄ねじ部３５ａに対して締結部材３４の雌ねじ部３５ｂを螺動させて、締結部材３４の締結を解除する。これにより、副柵体１２は、主柵体１１に対して補強杆３３回りに回動自在となるため、所望の開き角度に変更する。
【００６４】
変更完了後は、締結部材３４を締結する側へ回動させることにより、主連結部材３１とともに、副連結部材３２を再度締結して、変更後の角度に強固に固定保持する。
【００６５】
上述したように構成したペット用ゲート１の作用、効果について詳述する。  
ペット用ゲート１は、主柵体１１と副柵体１２が互いに回動自在であるため、締結部材３４を緩めれば、主柵体１１に対する副柵体１２の開き角度を無段階で任意の角度に設定することができる。
【００６６】
さらに、主柵体１１に対して副柵体１２を回動する際には、副柵体１２全体を持ち上げたりせずとも、片手でも容易に回動して角度を変更することができる。
【００６７】
さらに、ペット用ゲート１は、主柵体１１に対する副柵体１２の開き角度を任意の角度に設定した後は、副連結部材３２の突片部３２Ｕｂを、主連結部材３１の支持受け部３１Ｕｂと締結部材３４とで締結することにより、強固に固定することができる。このため、例えば、ペットが通行の際に柵体２に接触するなどして不測の外力が加わっても、形崩れしたり、ガタつくことなく、しっかりと任意の角度に保つことができる。
【００６８】
締結部材３４を指先で摘んで回動するだけで、ドライバなどの工具を用いずとも主柵体１１に対して副柵体１２を固定保持、或いは、回動自在な状態へ容易に変更することができ、従来のように、角度変更の度に複数の連結部材を分解したり、柵体から取り外したりする手間を要することもない。
【００６９】
上述したようにペット用ゲート１は、主柵体１１に対する副柵体１２の開き角度を調節することにより、該ペット用ゲート１を、設置する空間の幅に応じた幅になるよう設定することができる。
【００７０】
このため、図１０（ａ），（ｂ）に示すように、屋内の廊下や、図１０（ｃ）に示すように、部屋の出入口付近などのペットが通行する空間において設置箇所の幅に応じた形態でペットの通行方向に交差する方向に設置することにより、ペットの通行を遮断することができる。
【００７１】
詳しくは、ペット用ゲート１は、図１０（ａ）に示すように、主柵体１１に対して副柵体１２を開き角度が略１８０°になるまで回動させることができる。このとき、主連結部材３１における一方の回動規制突起３１ｅと、副連結部材３２における他方のとが互いに当接し、それ以上副柵体１２が回動することを規制することができる（図示せず）。
【００７２】
このように回動させれば、１枚の主柵体１１と２枚の副柵体１２とが平面視一直線状に並んだ形態となり、ペット用ゲート１を最大の幅に設定することができる。
【００７３】
なお、このような形態としてもペット用ゲート１は、スタンド４を主柵体１１と交差する方向へ突出させているため、安定して設置することができる。
【００７４】
また、ペット用ゲート１は、図１０（ｂ）に示すように、主柵体１１に対して副柵体１２を開き角度が略９０°になるまで回動させることができる。このように回動させれば、１枚の主柵体１１と２枚の副柵体１２とが平面視コの字状に並んだ形態となり、ペット用ゲート１を最小の幅に設定することができる。
【００７５】
ペット用ゲート１は、このような最大の幅と最小の幅との間で任意の幅に設定することができる。
【００７６】
特に、ペット用ゲート１は、図１０（ｂ）に示すように、最小の幅に設定しても、副柵体１２と主柵体１１とが上述したように平面視コの字状となるため、副柵体１２と主柵体１１とが互いに重なり合わない形態とすることができ、主柵体１１に構成した開口部１６や扉１７に、副柵体１２が重なり合うことを防ぐことができる。
【００７７】
ところで、図示しないが例えば、従来のように２枚の柵体を並べ、一方の柵体に対して他方の柵体をスライドすることにより幅を変更するペット用ゲートの場合は、幅を小さく設定したとき、柵体同士が互いに重なり合うことになるため、仮に、一方の柵体に開口部や扉を設けても、他の柵体が開口部や扉に重なり合うことによって、ペットの通行や扉の開閉操作が阻害されてまうとう難点を有する。
【００７８】
これに対して、本実施形態のペット用ゲート１は、副柵体１２により開口部１６が閉塞されたり、扉１７の開閉操作が阻害されることなく（図１０（ｂ）中の仮想線で示した扉１７参照）、開口部１６を通じたペットの通行や扉１７の開閉操作を確実に行うことができるという特有の効果を奏することができる。
【００７９】
さらに、ペット用ゲート１は、主柵体１１に開口部１６を形成するとともに、扉１７を備えているため、ペット用ゲート１をペットが通行する空間に設置した場合において、ペットを通行させる際には、ペットが通行する空間に対していちいち設置箇所に対して取り外したり設置し直したりしなくても、扉１７を開けることで開口部１６を通じてペットを容易に通行させることができる。扉１７を閉じれば、不測にペットが開口部１６を通じて通行することを確実に阻止することができる。
【００８０】
また、ペット用ゲート１は、２枚の副柵体１２のそれぞれを主柵体１１の側へ開き角度が略０度になるよう回動させると、図１１（ａ）に示すように、２枚の副柵体１２のそれぞれと主柵体１１とが互いに対向して折り重なった形態へ変更することができる。
【００８１】
そして、このように折り畳んだ形態で突片部３２Ｕｂを締結部材３４と支持受け部３１Ｕｂとで締結することにより、柵体２同士が不用意にガタつくことがなく上述したようなコンパクトな形態に保つことができる。
【００８２】
さらに、ペット用ゲート１は、図１１（ｂ）に示すように、スタンド４を上記柵体２の下端部に退避した姿勢で収容することができるため、コンパクトに折り畳むことができる。
【００８３】
スタンド４の収容手順について説明する。  
図１２（ａ）中の矢印に示すように、付勢バネ５２の付勢力に抗してスタンド４を枠体１３下端部から離間するようスライドすることで、枠体係合段部４２により枠体１３下端部に規制していたスタンド４の規制を解除する。
【００８４】
図１１（ｂ）中の仮想線、及び、図１２（ｂ）に示すように、２本のスタンド４のそれぞれを、該２本のスタンド４の先端同士が互いに対向するよう軸回りに９０度回転させる。
【００８５】
そうすると、図１２（ｃ）に示すように、溝部４３の形成方向と枠体１３の下端部の長さ方向とが一致するようスタンド４が枠体１３の下端部下側に配する。この状態でスタンド４を把持している手を離せば、図１２（ｄ）に示すように、付勢バネ５２の付勢力により、枠体１３の下端部を溝部４３へ係合することができ、スタンド４が邪魔にならないよう保持しておくことができる。
【００８６】
上述した手順により図１１（ｂ）に示すようにスタンド４を収容した形態へと変更することができ、上述した手順と逆の手順により、スタンド４を主柵体１１に対して突出した形態へと変更することができる。
【００８７】
また、上述した実施形態と、この発明の構成との対応において、この実施形態のペット用ゲート１は、この発明のペット用柵に対応し、以下同様に、
主柵体１１は、一方の連結部材に対応し、
副柵体１２は、他方の連結部材に対応し、
補強杆３３の上部３３Ｕ、及び／又は、補強杆３３の下部３３Ｄは、枢支軸に対応するも、
この発明は、上述の実施形態の構成のみに限定されるものではなく、多くの実施の形態を得ることができる。
【００８８】
例えば、図示しないが、連結部材３は、補強杆３３を備えず、締結部材３４には、ねじ穴３４ａを備えずとも他の構成により構成することができる。  
詳しくは、締結部材３４は、支持受け部３１Ｕｂの連通孔３１Ｕｃと突片部３２Ｕｂの連通孔３２Ｕｃとへ連通可能に突出し、外周部に雄ねじ部を形成した突出部を備えたボルト型で構成することができる。
【００８９】
さらに、支持受け部３１Ｕｂの連通孔３１Ｕｃには、締結部材３４の突出部に形成した上記雄ねじ部に螺合可能な雌ねじ部を形成している。  
上記構成によっても、締結部材３４の回動により、締結部材３４と支持受け部３１Ｕｂとで突片部３２Ｕｂを挟み込んだ状態で強固に締結することができる。
【００９０】
さらにまた、本発明のペット用柵は、上述したように１枚の主柵体１１と２枚の副柵体１２とで構成したが、主柵体１１、副柵体１２は、上述した枚数に限らず、それぞれ所望の枚数備えることができる。さらに、本発明のペット用柵は、上述したようにペット用ゲート１として用いるに限らず、ペット用サークルとしても用いることができる。
【図面の簡単な説明】
【００９１】
【図１】本実施形態のペット用ゲートの外観図。
【図２】図１における本実施形態のペット用ゲートの背面図。
【図３】本実施形態のペット用ゲートの平面図。
【図４】本実施形態のペット用ゲートの左側面図。
【図５】図３のＡ−Ａ線断面矢視図の要部拡大図。
【図６】上部に備えた連結部材の構成説明図。
【図７】図３のＡ−Ａ線断面矢視図の他の要部拡大図。
【図８】下部に備えた連結部材の構成説明図。
【図９】スタンド４の構成説明図。
【図１０】本実施形態のペット用ゲートの作用説明図。
【図１１】本実施形態のペット用ゲートの作用説明図。
【図１２】本実施形態のペット用ゲートのスタンド４の折り畳み説明図。
【符号の説明】
【００９２】
１…ペット用ゲート
４…スタンド
１１…主柵体
１２…副柵体
１６…開口部
１７…扉
３１…主連結部材
３２…副連結部材
３１Ｕｂ，３１Ｄｂ…支持受け部
３２Ｕｂ，３２Ｄｂ…突片部
３３Ｕ…補強杆の上部
３３Ｄ…補強杆の下部
３４…締結部材
【図１】
2009284765.tif 000003
【図２】
2009284765.tif 000004
【図３】
2009284765.tif 000005
【図４】
2009284765.tif 000006
【図５】
2009284765.tif 000007
【図６】
2009284765.tif 000008
【図７】
2009284765.tif 000009
【図８】
2009284765.tif 000010
【図９】
2009284765.tif 000011
【図１０】
2009284765.tif 000012
【図１１】
2009284765.tif 000013
【図１２】
2009284765.tif 000014